(57)【要約】【課題】手動排気弁を途中で操作した場合にも、最初に設定した減圧速度をできるだけ守れるようにして、血圧測定の安定化を図る。【解決手段】カフ１０と、手動ポンプ２０と、手動排気弁２５と、自動排気弁４７と、圧力センサ４６と、表示器４２と、自動排気弁に制御値を与えてカフ内の空気を排気してカフを減圧するとき、開弁側への制御値を与えることだけで、カフ内の空気の排気速度を制御する制御手段４８とを具備する。制御手段は、予め設定された一定排気速度となるように第１の制御値を自動排気弁に与えて自動排気動作を実行している途中で、手動排気弁による補助排気が行われた場合に、補助排気の終了時点の圧力センサの出力に基づいて、前記一定排気速度と同等の排気速度となるような、第１の制御値とは別の第２の制御値を新たに演算し、第２の制御値を自動排気弁に与えて、動排気弁に自動排気動作を継続させる。【選択図】図１
0003162113.tif 000002
【実用新案登録請求の範囲】
【請求項１】
血圧測定部位に巻き付けるカフと、
該カフを加圧する加圧手段と、
前記カフを減圧する減圧手段として設けられて、前記カフ内の空気を制御値に応じた速度で排気する自動排気弁と、
前記カフの圧力を検出して電気的出力を発する圧力センサと、
該圧力センサの検出した圧力値を表示する表示器と、
前記自動排気弁の動作制御を行い、前記自動排気弁に制御値を与えて前記カフ内の空気を排気し該カフを減圧するとき、開弁側への制御値を与えることだけで、前記カフ内の空気の排気速度を制御する制御手段と、を具備し、
前記減圧手段の他の１つとして、前記自動排気弁とは別に更に手動排気弁が設けられ、
前記制御手段が、予め設定された一定排気速度となるように第１の制御値を前記自動排気弁に与えて自動排気動作を実行している途中で、前記手動排気弁による補助排気が行われた場合に、該補助排気の終了時点の前記圧力センサの出力に基づいて、前記一定排気速度と同等の排気速度となるような、前記第１の制御値とは別の第２の制御値を新たに演算し、該第２の制御値を前記自動排気弁に与えて、該自動排気弁に自動排気動作を継続させることを特徴とする血圧計。
【請求項２】
請求項１に記載の血圧計であって、
更に、手動操作により外部入力信号を発生する外部入力スイッチが設けられると共に、
前記制御手段に、
血圧測定のためのカフの減圧過程において、前記外部入力スイッチにより、第１の外部入力信号が入力されたタイミングと、その後の第２の外部入力信号が入力されたタイミングと、にそれぞれ対応した前記圧力センサの検出値を、最高血圧及び最低血圧として判定する血圧判定手段と、該血圧判定手段が最高血圧と最低血圧を判定した後に、前記表示器に対し最高血圧と最低血圧を表示させる表示制御手段と、が含まれていることを特徴とする血圧計。
【請求項３】
請求項１または２に記載の血圧計であって、
前記加圧手段として、ゴム球よりなる手動ポンプが設けられ、その手動ポンプの排気口に前記手動排気弁が設けられていることを特徴とする血圧計。
【請求項４】
請求項１〜３のいずれか１項に記載の血圧計であって、
前記表示器に、
前記圧力センサの検出した実際の圧力値を表示する第１表示部と、
前記自動排気弁による排気速度の設定値を目盛上に指標として表示する第２表示部と、
前記圧力センサの検出出力から演算した実際の排気速度を前記目盛に沿って表示する第３表示部と、
が設けられていることを特徴とする血圧計。
【請求項５】
請求項４に記載の血圧計であって、
前記第３表示部に、前記目盛に沿って、前記実際の排気速度を表示する表示セグメントが複数配列されており、各表示セグメントは、前記目盛と直交する方向の長さの異なるバー状にそれぞれ形成され、且つ、各バー状の表示セグメントの長さが、前記目盛上における排気速度が大になる位置に形成されているものほど長く設定されていることを特徴とする血圧計。
【請求項６】
請求項５に記載の血圧計であって、
前記第３表示部における前記表示セグメントによる実際の排気速度の表示が、該当する実際の排気速度に相当する表示セグメントと、それより下の排気速度に相当する表示セグメントの全部を表示状態にすることによって行われることを特徴とする血圧計。
【考案の詳細な説明】
【技術分野】
【０００１】
本考案は、例えば、カフを加圧した後の減圧過程で聴診器を用いて血圧を測定する血圧計に関するものである。
【背景技術】
【０００２】
従来一般に、医療現場では、水銀柱式の血圧計が標準的に使用されていた。水銀柱式の血圧計は、水銀柱式の圧力計と、主に上腕に巻き付けるカフと、カフを加圧する加圧手段（一般にはゴム球）と、カフを減圧する減圧手段（一般に手動排気弁）と、からなるもので、被測定者の血圧を測定する場合は、聴診器でカフを巻いた腕の脈音を聴きながら、水銀柱を読み取ることで、最高血圧と最低血圧を判定している。具体的には、上腕に巻いたカフを最高血圧以上に加圧した後、減圧手段を操作して徐々に減圧していき、その減圧過程で聴診器によりコロトコフ音（以下、Ｋ音という）を聴き取り、Ｋ音の発生と消失により収縮期と拡張期を聴き分けた各タイミングで、水銀柱の上端の位置の目盛を読み取り、収縮期のタイミングの読み取り値を最高血圧、拡張期のタイミングの読み取り値を最低血圧として検出している。
【０００３】
一方、家庭用などの血圧計として普及している一般のオシロメトリック式の電子血圧計では、被測定体である被験者の上腕または手首などにカフを巻き付け、カフを加圧し動脈を圧迫して阻血し、その後の減圧してゆく過程で、圧力センサでカフ圧を検出すると共に、カフ圧信号中に重畳される脈波を抽出し、その脈波の振幅の推移とカフ圧とに基づき血圧を決定している。例えば、脈波振幅の最大値に対応するカフ圧を平均血圧、脈波振幅の最大値の５０％に相当する高カフ圧側の脈波振幅に対応するカフ圧を最高血圧、また脈波振幅の最大値の７０％に相当する低カフ圧側の脈波振幅に対応するカフ圧を最低血圧と決定している。
【０００４】
このような各種の血圧計において正確な血圧を測定するためには、カフ圧を一定の排気速度で減圧するのが望ましいとされている。従来の電子血圧計では、そのために、次のようにして減圧速度を管理している。即ち、現在の排気速度をカフの圧力値に基づいて監視し、所定の減圧速度（減圧速度が一定）となるように、自動排気弁（例えば、電磁式の自動排気弁）を制御している。例えば、自動排気弁の弁開度が入力電流に比例する場合は、排気速度が速すぎるときに、自動排気弁の電流を増やして排気を遅くし、排気速度が遅すぎるときに、自動排気弁の電流を減らして排気を速くするよう制御している。
【０００５】
また、医療現場で長年行われていた聴診器を用いる血圧測定のやり方を採り入れた電子血圧計として、特許文献１や特許文献２などに記載のものが知られている。
【０００６】
これらの特許文献に記載された電子血圧計は、血圧測定部位に巻き付けるカフと、カフを加圧する加圧手段と、カフを減圧する減圧手段としての自動排気弁と、カフの圧力を検出して電気的出力を発生する圧力センサと、圧力センサの検出したカフの圧力を表示する表示器と、聴診器で検出した収縮期と拡張期のタイミングに割り込み信号を与える割り込みスイッチ（つまり、手動操作により外部入力信号を発生する外部入力スイッチ）と、血圧測定のためのカフの減圧過程において、前記割り込みスイッチにより、第１の割り込み信号（外部入力信号）が入力されたタイミングと、その後の第２の割り込み信号（外部入力信号）が入力されたタイミングとにそれぞれ対応した前記圧力センサの検出値を最高血圧及び最低血圧として判定して表示させる手段とを備えたものである。この電子式血圧計によれば、減圧過程において聴診器によりＫ音を聴き分け、収縮期と拡張期と判断したタイミングで割り込みスイッチを操作することにより、最高血圧と最低血圧を表示器に表示させることができる。
【先行技術文献】
【特許文献】
【０００７】
【特許文献１】特開２０００−７０２３１号公報
【特許文献２】特開２００７−１３５７１５号公報
【考案の概要】
【考案が解決しようとする課題】
【０００８】
また、本出願人は、より簡易な構成の血圧計として、自動排気弁と表示器の付いた圧力計（血圧計本体）と、この圧力計を連結するカフと、カフを加圧するためのゴム球などの簡易な加圧手段とを組み合わせた血圧計を開発した。
【０００９】
具体的には、この血圧計は、血圧測定部位に巻き付けるカフと、カフを加圧する加圧手段（ゴム球）と、カフ内の空気を制御値に応じた速度で排気する自動排気弁（減圧手段）と、カフの圧力を検出する圧力センサと、圧力センサの検出した圧力値を表示する表示器と、自動排気弁の動作制御を行い、自動排気弁に制御値を与えてカフ内の空気を排気しカフを減圧するとき、開弁側への制御値を与えることだけで、カフ内の空気の排気速度を制御する制御手段と、を具備したものである。ここで、自動排気弁による減圧動作を開弁側への制御だけで行うのは、減圧過程での血圧測定の安定性と精確性を保つためである。
【００１０】
ところで、この血圧計の加圧手段に従来の医療現場において長年にわたり使っていたゴム球を用いた場合、ゴム球に手動排気弁（逃がし弁）を付属させたいという要望が強くある。
【００１１】
しかし、減圧手段として自動排気弁に加えて手動排気弁を設けた場合、次のような懸念があることが分かった。
【００１２】
即ち、この血圧計では、ゴム球でカフを加圧した後に、自動排気弁を自動的に制御して、予め設定した一定の排気速度（減圧速度）でカフ内の空気を排気するように設計しているのであるが、医療従事者の中には、血圧測定領域にカフ圧が到達するのをより早めるべく、ゴム球に付属している手動排気弁を操作して、急速な補助排気を実行するものがいる可能性も考えられる。
【００１３】
そのような手動排気弁による補助排気が実行された場合、補助排気が終了した時点で再び自動排気弁を使った自動排気動作に復帰することになるが、その復帰の時点では、最初の減圧速度設定で予測したカフ圧よりも低いカフ圧となっている（補助排気によりカフ圧を途中で抜くので当然低いカフ圧になっている）ので、そのまま復帰させた場合、減圧速度が遅くなって（つまり、横軸に時間をとったカフの圧力特性線の傾斜が緩やかになって）、血圧測定に時間がかかってしまうことになる。
【００１４】
本考案は、上記事情を考慮し、手動排気弁を途中で操作した場合にも、最初に設定した減圧速度をできるだけ守れるようにして、血圧測定の安定化を図れるようにした血圧計を提供することを目的とする。
【課題を解決するための手段】
【００１５】
上記課題を解決するために、本考案は以下の構成を備える。
（１）  血圧測定部位に巻き付けるカフと、
該カフを加圧する加圧手段と、
前記カフを減圧する減圧手段として設けられて、前記カフ内の空気を制御値に応じた速度で排気する自動排気弁と、
前記カフの圧力を検出して電気的出力を発する圧力センサと、
該圧力センサの検出した圧力値を表示する表示器と、
前記自動排気弁の動作制御を行い、前記自動排気弁に制御値を与えて前記カフ内の空気を排気し該カフを減圧するとき、開弁側への制御値を与えることだけで、前記カフ内の空気の排気速度を制御する制御手段と、を具備し、
前記減圧手段の他の１つとして、前記自動排気弁とは別に更に手動排気弁が設けられ、
前記制御手段が、予め設定された一定排気速度となるように第１の制御値を前記自動排気弁に与えて自動排気動作を実行している途中で、前記手動排気弁による補助排気が行われた場合に、該補助排気の終了時点の前記圧力センサの出力に基づいて、前記一定排気速度と同等の排気速度となるような、前記第１の制御値とは別の第２の制御値を新たに演算し、該第２の制御値を前記自動排気弁に与えて、該自動排気弁に自動排気動作を継続させることを特徴とする血圧計。
（２）  上記（１）の構成において、
更に、手動操作により外部入力信号を発生する外部入力スイッチが設けられると共に、
前記制御手段に、
血圧測定のためのカフの減圧過程において、前記外部入力スイッチにより、第１の外部入力信号が入力されたタイミングと、その後の第２の外部入力信号が入力されたタイミングと、にそれぞれ対応した前記圧力センサの検出値を、最高血圧及び最低血圧として判定する血圧判定手段と、該血圧判定手段が最高血圧と最低血圧を判定した後に、前記表示器に対し最高血圧と最低血圧を表示させる表示制御手段と、が含まれていることを特徴とする血圧計。
（３）  上記（１）または（２）の構成において、
前記加圧手段として、ゴム球よりなる手動ポンプが設けられ、その手動ポンプの排気口に前記手動排気弁が設けられていることを特徴とする血圧計。
（４）  上記（１）〜（３）のいずれかの構成において、
前記表示器に、
前記圧力センサの検出した実際の圧力値を表示する第１表示部と、
前記自動排気弁による排気速度の設定値を目盛上に指標として表示する第２表示部と、
前記圧力センサの検出出力から演算した実際の排気速度を前記目盛に沿って表示する第３表示部と、
が設けられていることを特徴とする血圧計。
（５）  上記（４）の構成において、
前記第３表示部に、前記目盛に沿って、前記実際の排気速度を表示する表示セグメントが複数配列されており、各表示セグメントは、前記目盛と直交する方向の長さの異なるバー状にそれぞれ形成され、且つ、各バー状の表示セグメントの長さが、前記目盛上における排気速度が大になる位置に形成されているものほど長く設定されていることを特徴とする血圧計。
（６）  上記（５）の構成において、
前記第３表示部における前記表示セグメントによる実際の排気速度の表示が、該当する実際の排気速度に相当する表示セグメントと、それより下の排気速度に相当する表示セグメントの全部を表示状態にすることによって行われることを特徴とする血圧計。
【考案の効果】
【００１６】
上記（１）の構成によれば、制御手段が、予め設定された一定排気速度となるように第１の制御値を自動排気弁に与えて自動排気動作を実行している途中で、手動排気弁による補助排気が行われた場合に、補助排気の終了時点の圧力センサの出力に基づいて、前記一定排気速度と同等の排気速度となるような、第１の制御値とは別の第２の制御値を新たに演算し、第２の制御値を自動排気弁に与えて、自動排気弁に自動排気動作を継続させるので、途中で補助排気が実行された場合にも、減圧速度を最初に設定した通りに守ることができ、血圧測定の安定化を図ることができる。
上記（２）の構成によれば、聴診器でＫ音を聴きながら、Ｋ音が発生し始めたタイミングと再び消失したタイミングで外部スイッチを操作することにより、最高血圧と最低血圧を表示器に表示させることができる。従って、医療従事者が使い慣れた従来の水銀柱式の血圧計の使用法を踏襲しながら、外部スイッチを操作するだけで、血圧値を、記憶に頼らずに目で表示を見て認識することができる。
上記（３）の構成によれば、加圧手段として、ゴム球よりなる手動ポンプが設けられ、その手動ポンプの排気口に手動排気弁が設けられているので、従来より医療従事者が使い慣れた装備をそのまま使用することができ、使い勝手を良くすることができる。
上記（４）の構成によれば、表示器に、圧力センサの検出した実際の圧力値を表示する第１表示部の他に、自動排気弁による排気速度の設定値を目盛上に指標として表示する第２表示部と、圧力センサの検出出力から演算した実際の排気速度を前記目盛に沿って表示する第３表示部とを設けているので、実際の排気速度が設定値よりも速くなっているか遅くなっているかを即座に認識することができる。従って、手動排気弁を操作するときの目安が付けやすくなる。
上記（５）の構成によれば、第３表示部に、前記目盛に沿って、実際の排気速度を表示する表示セグメントが複数配列されており、各表示セグメントが目盛と直交する方向の長さの異なるバー状にそれぞれ形成され、且つ、各バー状の表示セグメントの長さが、目盛上における排気速度が大になる位置に形成されているものほど長く設定されているので、実際の排気速度の大小を直感的に容易に認識することができる。
上記（６）の構成によれば、第３表示部における前記表示セグメントによる実際の排気速度の表示が、該当する実際の排気速度に相当する表示セグメントと、それより下の排気速度に相当する表示セグメントの全部を表示状態にすることによって行われるので、実際の排気速度がより直感的に認識しやすくなる。
【図面の簡単な説明】
【００１７】
【図１】本考案の実施形態の血圧計の概略構成を示す図で、（ａ）は外観構成を示す図、（ｂ）は血圧計本体の内部構成をブロックで示す図、（ｃ）は自動排気弁の要部の構成の説明図である。
【図２】同血圧計の血圧測定時のカフ圧の特性図である。
【図３】同血圧計の表示器の表示内容の詳細図で、（ａ）は電源ＯＮ直後の全点灯時の状態、（ｂ）はその後のゼロの点滅時の状態、（ｃ）は更にその後のゼロの点灯時の状態、（ｄ）は実際の血圧測定時の表示状態をそれぞれ示す図である。
【図４】同表示器における第２の表示部（自動排気弁による減圧速度の設定値を目盛上に指標として表示する表示部）の拡大図と目盛の意味する減圧速度を示す図である。
【図５】同血圧計において、最高血圧と最低血圧をホールド表示するまでの順を示す図で、（ａ）は第１のタイミング（Ｋ音が発生したタイミング）でＡボタンを押したときの表示、（ｂ）はその後の第２のタイミング（Ｋ音が再び消失したタイミング）でＡボタンを押したときの表示、（ｃ）は最終的に血圧測定が終了したときの最高血圧と最低血圧のホールド表示の状態をそれぞれ示す図である。
【考案を実施するための形態】
【００１８】
以下、本考案の実施形態を図面を参照して説明する。
図１は実施形態の血圧計の概略構成を示す図で、（ａ）は外観構成を示す図、（ｂ）は血圧計本体の内部構成をブロックで示す図、（ｃ）は自動排気弁の要部の構成の説明図、図２は同血圧計の血圧測定時のカフ圧の特性図である。また、図３は同血圧計の表示器の表示内容の詳細図で、（ａ）は電源ＯＮ直後の全点灯時の状態、（ｂ）はその後のゼロの点滅時の状態、（ｃ）は更にその後のゼロの点灯時の状態、（ｄ）は実際の血圧測定時の表示状態をそれぞれ示す図、図４は同表示器における第２の表示部（自動排気弁による減圧速度の設定値を目盛上に指標として表示する表示部）の拡大図と目盛の意味する減圧速度を示す図、図５は同血圧計において、最高血圧と最低血圧をホールド表示するまでの順を示す図で、（ａ）は第１のタイミング（Ｋ音が発生したタイミング）でＡボタンを押したときの表示、（ｂ）はその後の第２のタイミング（Ｋ音が再び消失したタイミング）でＡボタンを押したときの表示、（ｃ）は最終的に血圧測定が終了したときの最高血圧と最低血圧のホールド表示の状態をそれぞれ示す図である。
【００１９】
この実施形態の血圧計は、図１に示すように、手動ポンプであるゴム球２０と手動排気弁２５の付いた血圧計で、血圧計本体４０に電磁式の自動排気弁４７が付いており、カフ１０の加圧後の減圧過程で血圧測定を行う血圧計であり、最大の特徴は、手動排気弁２５による補助排気により急速に測定領域の近くまで減圧するような特殊な操作をしたときに、補助排気終了時点で自動排気弁４７の制御値を改めて設定し直す点にある。
【００２０】
即ち、この血圧計は、図２に示すように、自動排気弁４７での一定速度排気を実行中（加圧終了時点のカフ圧Ｐ１に基づいて制御値が決められる）に手動排気弁２５による補助排気が実行された場合、補助排気終了時点で、自動排気弁４７の制御値が元のままだと、急激にカフ圧が降下していることにより（点線で図示）、一定排気速度を下回る排気速度（二点鎖線で図示）に移行してしまう。そこで、手動排気弁２５による補助排気操作の終了時に、その時点でのカフ圧Ｐ２に基づき、元の排気速度と同じ排気速度に復帰させるように修正することを最大の特徴とするものである。
【００２１】
以下に具体的に述べる。
この血圧計は、図１（ａ）、（ｂ）に示すように、上腕（血圧測定部位）に巻き付ける空気袋１１内蔵のカフ１０と、カフ１０を加圧する加圧手段として空気袋１１にゴム管２２を通して接続されたゴム球よりなる手動ポンプ２０と、その手動ポンプ２０の排気口に設けられたネジ式の手動排気弁２５と、カフ１０の外面（カフ１１を上腕に巻き付けたときに外側になる面）に設けられた接続口１４に着脱自在に接続される血圧計本体４０と、から構成されている。
【００２２】
血圧計本体４０には、カフ１０を減圧する減圧手段として設けられ、カフ１０内の空気を制御値に応じた速度で排気する自動排気弁４７と、カフ１０の圧力を検出して電気的出力を発する圧力センサ４６と、圧力センサ４６の検出した圧力値を表示する液晶式の表示器４２と、少なくとも自動排気弁４７の動作制御を行う制御手段４８と、手動操作により外部入力信号を発生する外部入力スイッチ（以下、Ａボタンと言うこともある）４３及び電源スイッチ（以下、Ｂボタンと言うこともある）４４と、を具備している。圧力センサ４６、自動排気弁４７、制御手段４８等は、血圧計本体４０の筐体４１内に装備され、スイッチ４３、４４や表示器４２は、筐体４１の外に必要部が露出するように設けられている。
【００２３】
この場合、制御手段４８は、自動排気弁４７に制御値を与えてカフ１０内の空気を排気しカフ１０を減圧するとき、図１（ｃ）中の矢印Ｈで示すように、開弁側へ自動排気弁４７を動作させることだけで（つまり、開弁側への制御値を与えることだけで）、カフ１０内の空気の排気速度を制御する。例えば、図１（ｃ）に示すように、弁座４７ａに開口させたノズル孔４７ｃを弁体４７ｂで開閉する方式の自動排気弁４７の場合、弁体４７ｂと弁座４７ａの間隔Ｈ１をＨ２（＞Ｈ１）側に調節することだけで、カフ１０内の空気の排気速度（つまり減圧速度）を制御する。
【００２４】
また、制御手段４８は、図２の圧力特性曲線に示すように、予めＡボタン４３の操作により設定された一定排気速度（実線Ｌ１）となるように、加圧段階終了時点でのカフ圧Ｐ１に基づいて決めた第１の制御値を自動排気弁４７に与えて自動排気動作を実行する機能を有している。また、この血圧計において特徴的なのは、制御手段４８が、第１の制御値を自動排気弁４７に与えて自動排気動作を実行している途中で、手動排気弁２５による補助排気が行われた場合に、補助排気の終了時点の圧力センサの出力（カフ圧Ｐ２）に基づいて、前記一定排気速度と同等の排気速度（点線Ｌ３）となるような、第１の制御値とは別の第２の制御値を新たに演算し、第２の制御値を自動排気弁４７に与えて、自動排気弁４７に自動排気動作を継続させる機能を有していることである。
【００２５】
これは、補助排気終了時点で、自動排気弁４７の制御値が元のまま（第１の制御値のまま）であると、急激にカフ圧が降下していることにより（補助排気区間の終了点の圧力を参照）、自動排気に復帰した段階で、一定排気速度（最初に設定した減圧速度）を下回る排気速度（二点鎖線Ｌ２）に移行してしまい、結果的に血圧測定にかかる時間が長くなってしまうのを防止するためである。
【００２６】
また、制御手段４８は、血圧測定のためのカフ１０の減圧過程において、Ａボタン４３が押されて第１の外部入力信号が入力されたタイミングと、その後で更にＡボタン４３が押されて第２の外部入力信号が入力されたタイミングと、にそれぞれ対応した圧力センサ４６の検出値を、最高血圧及び最低血圧として判定する機能（血圧判定手段）と、最高血圧と最低血圧を判定した後に、表示器４２に対し最高血圧と最低血圧を表示させる機能（表示制御手段）と、を有している。
【００２７】
一方、表示器４２には、図３〜図５に示すように、圧力センサ４６の検出した実際の圧力値を数値で表示する第１表示部４２ａと、自動排気弁４７による排気速度の設定値を目盛４２ｅ１（図４参照）上に指標（三角目印）４２ｅ２として表示する第２表示部４２ｅと、圧力センサ４６の検出出力から演算した実際の排気速度を前記目盛４２ｅ１に沿ってアナログ的に表示する第３表示部４２ｆと、最高血圧及び最低血圧の数値をホールド表示するための上段ホールド表示部４２ｂ、下段ホールド表示部４２ｃと、電池残量表示部４２ｄと、が設けられている。
【００２８】
第３表示部４２ｆには、第２表示部４２ｅの目盛４２ｅ１に沿って、実際の排気速度を表示する表示セグメントが複数配列されている。各表示セグメントは、目盛４２ｅ１と直交する方向の長さの異なるバー状にそれぞれ形成されており、各バー状の表示セグメントの長さが、目盛４２ｅ１上における排気速度が大になる位置に形成されているものほど長く設定されている。また、第３表示部４２ｆにおける表示セグメントによる実際の排気速度の表示は、図３（ｄ）及び図５（ａ）、（ｂ）に示すように、該当する実際の排気速度に相当する表示セグメントと、それより下の排気速度に相当する表示セグメントの全部を表示状態にすることによって行われるようになっている。
【００２９】
次に、この血圧計を用いて血圧測定を行う手順について述べる。
まず、血圧計本体４０の背面にある接続口（図１に図示せず）をカフ１０の接続口１４に嵌合させて、血圧計本体４０をカフ１０に装着固定した上で、カフ１０を患者の上腕に巻き付け、必要箇所に聴診器をあてる。次にＢボタン（電源スイッチ）４４を押して電源を入れる。
【００３０】
すると、図３（ａ）に示すように、表示器４２の全表示が点灯後、ゼロ設定が行われる。ゼロ設定中は、図３（ｂ）に示すように、ゼロが点滅する。ゼロ設定が終わり、図３（ｃ）に示すように、ゼロの表示が点滅から点灯に変わったら、Ａボタン４３を押して減圧速度を選択する。
【００３１】
Ａボタン４３を１回押すごとに、図４に示すように、設定値（三角目印の指標４２ｅ２）が上昇し、上限値に到達した後は下限値に戻る。減圧速度は２〜６ｍｍＨｇ／ｓの範囲の任意の値に１ｍｍＨｇ／ｓ単位で設定可能となっている。
【００３２】
Ａボタン４３の操作により減圧速度を設定したら、ゴム球よりなる手動ポンプ２０でカフ１０を加圧し、血管（動脈）を圧迫して阻血する。その際、カフ１０の圧力は、表示器４２の第１表示部４２ａに数値表示される。
【００３３】
手動ポンプ２０による加圧を止めると、その後、自動排気弁４７が作動し、図２に示すように、カフ１０の減圧動作が始まる。このとき、図３（ｄ）に示すように、減圧速度の設定値（第２表示部４２ｅの三角目印の指標４２ｅ２）の隣りに、バーグラフ状に実際の減圧速度が表示される。
【００３４】
手動排気弁２５を操作しないで、自動排気のままで置くと、図２の実線Ｌ１で示すような一定の勾配でカフ圧が下がって行き、やがて圧力波形上に脈波が現れる。実際の圧力値は第１表示部４２ａに数値として表示されるが、圧力波形が表示されるわけでないので、脈波は実際には見えない。
【００３５】
そして、減圧過程において、聴診器によりＫ音が聞こえ始めたタイミングと、Ｋ音が消失したタイミングでＡボタン４３を押すと、ホールド機能が働き、図５に示すように、最終的に、上段ホールド表示部４２ｂに最高血圧が数値で表示され、下段ホールド表示部４２ｃに最低血圧が数値で表示される。このホールド機能は、最高血圧と最低血圧を表示させる機能であり、減圧動作中にＡボタン４３を押すと、１回目で（ａ）のように最高血圧を表示し、２回目で（ｂ）のように最低血圧を表示する。但し３回以上押した場合は、最後に押した２回が有効となるように設計されている。
【００３６】
また、減圧途中で操作者が手動排気弁２５を開いて、測定領域の付近の圧力まで補助排気を行った場合は、制御手段４８が、補助排気が終了した時点のカフ圧Ｐ２に基づいて制御値を再演算し、自動排気弁４７に指令値（第２の制御値）として出力する。それにより、図２の点線Ｌ３で示すように、減圧速度を最初に設定した通りに守ることができる。
【００３７】
測定が終了したら、必要に応じて手動排気弁２５を操作してカフ１０の急速排気を行い、Ｂボタン４４を押して電源を切る。なお、Ｂボタン４４を押して電源を切らなくても、無圧状態が所定時間続くと電源は自動的に切れるようになっている。
【００３８】
以上のように、この血圧計によれば、減圧途中の段階で手動操作弁２５の使用による補助排気が実行された場合にも、減圧速度を最初に設定した通りに守ることができるので、血圧測定の安定化を図ることができる。また、聴診器でＫ音を聴きながら、Ｋ音が発生し始めたタイミングと再び消失したタイミングでＡボタン４３を操作することにより、最高血圧と最低血圧を表示器４２に表示させることができるので、医療従事者が使い慣れた方法を踏襲しながら、血圧値を、記憶に頼らずに目で表示を見て認識することができる。また、加圧手段として、ゴム球よりなる手動ポンプ２０が設けられ、その手動ポンプ２０の排気口に手動排気弁２５が設けられているので、従来より医療従事者が使い慣れた装備をそのまま使用することができ、使い勝手を良くすることができる。
【００３９】
また、表示器４２には、圧力センサ４６の検出した実際の圧力値を表示する第１表示部４２ａの他に、自動排気弁４７による排気速度の設定値を目盛上に指標として表示する第２表示部４２ｅと、圧力センサ４６の検出出力から演算した実際の排気速度を前記目盛に沿って表示する第３表示部４２ｆとを設けているので、実際の排気速度が設定値よりも速くなっているか遅くなっているかを即座に認識することができ、手動排気弁２５を操作するときの目安が付けやすくなる。
【００４０】
また、表示器４２の第３表示部４２ｆには、第２表示部４２ｅの目盛に沿って、実際の排気速度を表示する表示セグメントを複数配列しており、各表示セグメントを、前記目盛と直交する方向の長さの異なるバー状にそれぞれ形成し、且つ、各バー状の表示セグメントの長さを、目盛上における排気速度が大になる位置に形成されているものほど長くなるように設定しているので、実際の排気速度の大小を直感的に容易に認識することができる。しかも、第３表示部４２ｆにおける表示セグメントによる実際の排気速度の表示は、該当する実際の排気速度に相当する表示セグメントと、それより下の排気速度に相当する表示セグメントの全部を表示状態にすることによって行う設定にしてあるので、実際の排気速度をより直感的に認識しやすくすることができる。
【符号の説明】
【００４１】
１０  カフ
２０  手動ポンプ（加圧手段）
２５  手動排気弁（減圧手段）
４０  血圧計本体
４２  表示器
４２ａ  第１表示部
４２ｅ  第２表示部
４２ｅ１  目盛
４２ｅ２  指標
４２ｆ  第３表示部
４３  外部入力スイッチ（Ａボタン）
４６  圧力センサ
４７  自動排気弁
４８  制御手段
【図１】
0003162113.tif 000003
【図２】
0003162113.tif 000004
【図３】
0003162113.tif 000005
【図４】
0003162113.tif 000006
【図５】
0003162113.tif 000007